(57)【要約】  アンテナ・アセンブリ及び無線通信端末が提供される。アンテナ・アセンブリには、平面アンテナ（１４０）と、平面アンテナと一体化可能なフラットパネル・スピーカー（１３０）とが含まれる。無線通信端末は、フラットパネル・スピーカーと平面アンテナとを含み、一体化されているか否かにかかわらず、それらはハウジング内の電子回路（１２０）の同一面上で互いに隣接して配置される。
2007501545.tif 000002
【特許請求の範囲】
【請求項１】
無線通信端末であって、
ハウジングと、
前記ハウジング内に位置する電子回路と、
前記ハウジング内で前記電子回路の裏面に隣接して位置するフラットパネル・スピーカーと、
前記ハウジング内で、前記電子回路の裏面に前記フラットパネル・スピーカーと隣接して位置する内部アンテナと
を備えることを特徴とする無線通信端末。
【請求項２】
前記フラットパネル・スピーカーは、前記内部アンテナと一体化されていることを特徴とする請求項１に記載の無線通信端末。
【請求項３】
前記フラットパネル・スピーカーと前記内部アンテナとは、共通の基板の第１の主面に位置する導電性部材をそれぞれ備えることを特徴とする請求項２に記載の無線通信端末。
【請求項４】
前記内部アンテナは、平面アンテナであることを特徴とする請求項１に記載の無線通信端末。
【請求項５】
前記ハウジングは、イヤーピースとキーボードとを該ハウジングの前面に含み、
前記電子回路は、前記ハウジングの前記前面と、前記フラットパネル・スピーカー及び前記内部アンテナとの間に位置することを特徴とする請求項１に記載の無線通信端末。
【請求項６】
前記電子回路はプリント回路基板を備え、
前記無線通信端末は更に、前記フラットパネル・スピーカーから前記イヤーピースへ伸びる前方音響経路を備え、該前方音響経路は、前記フラットパネル・スピーカーに隣接する前記プリント回路基板を通過して伸びる少なくとも一つの音響開口を備えることを特徴とする請求項５に記載の無線通信端末。
【請求項７】
前記内部アンテナは、前記プリント回路基板と前記フラットパネル・スピーカーとの間に位置し、前記前方音響経路は更に、前記内部アンテナを通過して伸びる少なくとも一つの音響開口を備えることを特徴とする請求項６に記載の無線通信端末。
【請求項８】
前記電子回路は、信号伝送路と接地面とを有するプリント回路基板を備え、前記内部アンテナは、前記信号伝送路と前記接地面と動作可能に結合することを特徴とする請求項１に記載の無線通信端末。
【請求項９】
前記電子回路は、前記フラットパネル・スピーカーとバランス伝送路を介して結合される音声駆動回路を含むことを特徴とする請求項１に記載の無線通信端末。
【請求項１０】
前記バランス伝送路は複数のリードを備え、前記電子回路は更に、前記バランス伝送路の各リード上にＲＦ分離回路を備えることを特徴とする請求項９に記載の無線通信端末。
【請求項１１】
前記ＲＦ分離回路は、タンク回路を備えることを特徴とする請求項１０に記載の無線通信端末。
【請求項１２】
前記ＲＦ分離回路は、インダクタを備えることを特徴とする請求項１０に記載の無線通信端末。
【請求項１３】
前記フラットパネル・スピーカーは、前記内部アンテナの寄生要素として作用するように構成されることを特徴とする請求項１に記載の無線通信端末。
【請求項１４】
前記フラットパネル・スピーカーは、前記内部アンテナに低周波数領域における周波数応答を与える寄生要素として作用するように構成されることを特徴とする請求項１３に記載の無線通信端末。
【請求項１５】
前記フラットパネル・スピーカーは、前記内部アンテナに拡大された帯域幅における周波数応答を与える寄生要素として作用するように構成されることを特徴とする請求項１３に記載の無線通信端末。
【請求項１６】
前記フラットパネル・スピーカーは、前記内部アンテナにマルチバンド周波数応答を与える寄生要素として作用するように構成されることを特徴とする請求項１３に記載の無線通信端末。
【請求項１７】
前記内部アンテナは、平面逆Ｆアンテナ（ＰＩＦＡ）を含むことを特徴とする請求項１に記載の無線通信端末。
【請求項１８】
前記内部アンテナは、単一接点パッチ・アンテナを含むことを特徴とする請求項１に記載の無線通信端末。
【請求項１９】
前記内部アンテナは、モノポール・アンテナを含むことを特徴とする請求項１に記載の無線通信端末。
【請求項２０】
前記電子回路は、
複数のリードを備えるバランス伝送路を介して前記フラットパネル・スピーカーと結合される音声駆動回路と、
前記内部アンテナと通信するアンテナ駆動回路と、
前記音声駆動回路及び前記アンテナ駆動回路と通信する信号補償回路と
を備え、
前記内部アンテナが送信モードにある場合に、前記信号補償回路は前記音声駆動回路から前記フラットパネル・スピーカーへの信号を補償することを特徴とする請求項２に記載の無線通信端末。
【請求項２１】
アンテナのサブアセンブリであって、
平面アンテナと、
フラットパネル・スピーカーと
を備え、前記フラットパネル・スピーカーは前記平面アンテナと一体化されていることを特徴とするアンテナのサブアセンブリ。
【請求項２２】
前記フラットパネル・スピーカーと前記内部アンテナとは、共通の基板の第１の主面に位置する導電性部材をそれぞれ備えることを特徴とする請求項２１に記載のアンテナのサブアセンブリ。
【請求項２３】
前記フラットパネル・スピーカーとバランス伝送路を介して結合される音声駆動回路を含む電子回路を更に備えることを特徴とする請求項２１に記載のアンテナのサブアセンブリ。
【請求項２４】
前記バランス伝送路は複数のリードを備え、前記電子回路は更に、前記バランス伝送路の各リード上にＲＦ分離回路を備えることを特徴とする請求項２３に記載のアンテナのサブアセンブリ。
【請求項２５】
前記ＲＦ分離回路は、タンク回路を備えることを特徴とする請求項２４に記載のアンテナのサブアセンブリ。
【請求項２６】
前記ＲＦ分離回路は、インダクタを備えることを特徴とする請求項２４に記載のアンテナのサブアセンブリ。
【請求項２７】
前記フラットパネル・スピーカーは、前記内部アンテナの寄生要素として作用するように構成されることを特徴とする請求項２１に記載のアンテナのサブアセンブリ。
【請求項２８】
前記フラットパネル・スピーカーは、前記内部アンテナに低周波数領域における周波数応答を与える寄生要素として作用するように構成されることを特徴とする請求項２７に記載のアンテナのサブアセンブリ。
【請求項２９】
前記フラットパネル・スピーカーは、前記内部アンテナに拡大された帯域幅における周波数応答を与える寄生要素として作用するように構成されることを特徴とする請求項２７に記載のアンテナのサブアセンブリ。
【請求項３０】
前記フラットパネル・スピーカーは、前記内部アンテナにマルチバンド周波数応答を与える寄生要素として作用するように構成されることを特徴とする請求項２７に記載のアンテナのサブアセンブリ。
【請求項３１】
前記内部アンテナは、平面逆Ｆアンテナ（ＰＩＦＡ）を含むことを特徴とする請求項２１に記載のアンテナのサブアセンブリ。
【請求項３２】
前記内部アンテナは、単一接点パッチ・アンテナを含むことを特徴とする請求項２１に記載のアンテナのサブアセンブリ。
【請求項３３】
前記内部アンテナは、モノポール・アンテナを含むことを特徴とする請求項２１に記載のアンテナのサブアセンブリ。
【発明の詳細な説明】
【技術分野】
【０００１】
本発明は通信の分野にかかわる。より詳細には、アンテナとそれを含む無線通信端末とに関する。
【背景技術】
【０００２】
携帯無線電話機のような個人用電子装置の製造者や設計者は、装置の魅力的な様式的特徴を維持しつつも、装置の全体的規模を縮小するための方法をしばしば模索している。スピーカーを含むそのような装置のサイズ縮小の結果の一つは、スピーカーのためのスペースの縮小である。その上で、そのような個人用電子装置には、ブザー、音声信号生成、及び、音楽や他の高周波数帯域信号の復元や再生の少なくともいずれかを含めて、様々な音声信号生成機能が求められるであろう。
【０００３】
音声信号生成機能をサポートするハードウェアが利用可能なスペースが、個人用電子装置内で縮小するにつれ、複数の音声出力装置をサポートすることがより困難となり、また、そのような各装置が利用可能なスペースもより小さくなるであろう。更に、そのような個人用電子装置における機能の増加により、装置の他の機能のためのスペースの縮小が更に求められることとなるであろう。音声出力装置のサイズの縮小により、ブザー警告信号のような信号について、所望の音量レベルを得ることが困難となるかも知れない。
【０００４】
個人用電子装置のサイズの縮小要求を満たす一つの方法は、従来的なスピーカーの代わりにフラットパネル・スピーカーを利用することである。フラットパネル・スピーカーは、従来のコーン型のパネルとは異なり、大きく薄い導電性のダイアフラム・パネルを利用して空気を振動させる。これにより、必要とされるスペースを小さくできる。
【０００５】
これとは別に、無線通信端末の内部に搭載されるアンテナとして利用可能な小型アンテナへの関心も存在する。例えば平面逆Ｆアンテナ（ＰＩＦＡ）は、無線通信端末の分野における利用に適するものであり、特に大型ディスプレイの要求の一方で小型化がなされる無線通信端末に適する。従来のＰＩＦＡは、典型的に接地面と間隙をあけて配置される導電性素子を含む。典型的なＰＩＦＡは、特許文献１及び特許文献２に開示される。これらの文献は引用により本明細書の記載に組み込まれる。
【０００６】
従来、ＰＩＦＡの構成は、特許文献３に記載されるような枝構造を有していた。また、ＰＩＦＡは効率的に放射を行うために、接地面から適切な距離、典型的には約５ｍｍから１０ｍｍの距離を置いて配置されていた。非特許文献１は、デュアル周波数ＰＩＦＡのためにトップパッチ（top patches）を潜在的に放射する技術が開示されている。この内容は、引用により本明細書の記載に組み込まれる。
【特許文献１】米国特許第６，１６６，６９４号明細書
【特許文献２】米国特許第６，３５３，４４３号明細書
【特許文献２】米国特許第５，９２６，１３９号明細書
【非特許文献１】キン・リュー・ウォン(Kin-Lu Wong)著、「無線通信のための平面アンテナ（Planar Antennas for Wireless Communications）」第１章、ｐ．４（Ｗｉｌｅｙ  ２００３年１月）
【発明の開示】
【発明が解決しようとする課題】
【０００７】
上記の内容にかかわらず、依然として改良された或いは代替可能なスピーカ及びアンテナ構成が必要とされている。
【課題を解決するための手段】
【０００８】
本発明の実施形態は、通信装置及び無線通信端末装置のための内部アンテナ及びフラットパネル・スピーカーを提供する。本発明の実施形態には、一体化された平面アンテナとフラットパネル・スピーカーとが含まれる。よって、例えば、平面アンテナとフラットパネル・スピーカーとを、共通の基板上に形成することができる。
【０００９】
幾つかの実施形態は、アンテナのサブアセンブリに関連する。アンテナのサブアセンブリは、（ａ）平面アンテナと（ｂ）該平面アンテナと一体化されたフラットパネル・スピーカーとを含む。ある実施形態では、フラットパネル・スピーカーは、該平面アンテナの寄生要素として作用するように構成される。従って、例えばフラットパネル・スピーカーは、平面アンテナ単独の周波数応答と比較して、低周波数領域における周波数応答、拡大された帯域幅における周波数応答、及びマルチバンド周波数応答の少なくともいずれかを平面アンテナに対して与えるように構成することができる。
【００１０】
他の実施形態は、無線通信端末に関連する。この無線通信端末は、（ａ）ハウジング、（ｂ）ハウジング内に配置された電子回路、（ｃ）ハウジング内で電子回路の裏面に隣接して位置するフラットパネル・スピーカー、（ｄ）ハウジング内で、電子回路の裏面にフラットパネル・スピーカーと隣接して位置する内部アンテナを含む。ある実施形態では、平面アンテナとフラットパネル・スピーカーとは、電子回路の同一の側で、同一の場所に互いに隣接して位置するだけであるが、他の実施形態では、それらが共通体として一体化されるか、又は、基板に一体化される。
【００１１】
特定の実施形態では、無線通信端末のハウジングは、イヤーピースとキーボードとをその前面に含む。電子回路はハウジングの前面とフラットパネル・スピーカーとの間に位置する。そのような実施形態では、ゆえに、無線通信端末は更に、フラットパネル・スピーカーからイヤーピースへ伸びる前方音響経路を含み、また、該前方音響経路は、フラットパネル・スピーカーに隣接する電子回路を通過して伸びる少なくとも一つの音響開口を含む。
【００１２】
ある実施形態では、無線通信端末の電子回路はフラットパネル・スピーカーと通信する音声駆動回路を含む。他の実施形態では、音声駆動回路は、フラットパネル・スピーカーとバランス伝送路を介して結合される。更に他の実施形態では、バランス伝送路は複数のリードを含み、各リード上にはＲＦ分離回路を含む。従って、バランス伝送路は、例えばタンク回路及びインダクタの少なくともいずれかを各リード上に含むことができる。
【００１３】
以下において、これら及び他の実施形態を更に記述する。
【発明を実施するための最良の形態】
【００１４】
以下において、本発明の実施形態を示す添付の図面を参照して、本発明をより詳細に記述する。しかしながら、本発明は、ここで説明する実施形態のみに限定されるものとして解釈されるべきではない。むしろ、これらの実施形態は、本開示が完璧かつ完全となるように、また当業者に本発明の範囲を十分に伝えるように提供されている。全体を通じて、類似の番号は類似の要素を指す。ここでは所定のアンテナの実施形態について説明しているが、あるアンテナの動作に関する実施形態は他のアンテナにも適用可能であることは当然に理解されよう。
【００１５】
図面では、配線、レイヤー、特徴、構成要素及び領域の少なくともいずれかの厚みが、明確化のために誇張されることがある。そのようなレイヤー、領域或いは基板のような特徴が、別の特徴或いは要素の「上に」あると言う場合は、その別の要素の直接上にあっても、介在要素が存在していてもよいことを理解されたい。その一方で、ある要素が別の特徴或いは要素の「直接上に」あるという場合は、介在要素は存在しないこととなる。また、ある特徴や要素が別の特徴又は要素に「接続」または「結合」されていると言うとき、その別の要素に直接に接続、または結合されていても、介在要素が存在していてもよいことを理解されたい。これに対して、ある特徴又は要素が別の特徴又は要素に「直接接続」または「直接結合」されていると言うとき、介在要素は存在しない。しかしながら、基板上のコーティング層やフィルム層の存在は、導電性材料が、基板上のコーティングやフィルムの上からであっても該基板上に「直接に形成される」ことを除外するものではない点には注意されたい。
【００１６】
また、「備える（"comprising"又は"comprise"）」及びその派生語は、記載された特徴、動作、数値、構成要素、工程などの存在を表す一方で、１以上の代替物或いは異なる特徴、数値、工程、構成要素又はグループの存在及びそれらの追加を除外或いは排除するものではない。
【００１７】
本書面において“無線端末”との語が使用される場合、マルチラインディスプレイを有する（又は有しない）携帯無線電話、データ処理機能、ファクシミリ機能及びデータ通信機能を携帯電話機と結合したところの個人用通信システム（Personal Communications System:PCS）端末、無線通信端末機能、ページャー機能、インターネット／イントラネット接続機能、ウェブブラウザ機能、オーガナイザー機能、カレンダー機能及びＧＰＳ受信機能の少なくとも何れかを含むことのできるＰＤＡ（Personal Digital Assistant）、及び、従来的なラップトップ及びパームトップ型受信機、或いは無線通信送受信器を有するその他の機器の少なくとも何れか、のうち少なくとも何れかを含む概念として使用されることは、理解されるべきである。無線通信端末は、「普及型コンピューター(pervasive computing)」装置とも呼ばれても良く、また、携帯型無線通信機器を含む移動体端末であってもよい。「携帯型無線通信機器」（これは同義的に「移動体無線通信端末」と呼ぶこともできる。）は、移動体電話機、ページャー及びコミュニケーターのような全ての携帯型機器を含み、スマートフォン、電子オーガナイザー等も含まれるが、これらに限定されるものではない。
【００１８】
アンテナが電気信号の送信及び受信の少なくともいずれかを行うために利用される装置であることは、通信装置の当業者によれば、直ちに理解されよう。送信時には、アンテナは、伝送路からエネルギーを受け、このエネルギーを空間内に放射する。受信時には、アンテナは入射波からエネルギーを収集し、このエネルギーを伝送路に供給する。アンテナから放射される電力量及びアンテナが受信する電力量は、一般的には利得として記載される。
【００１９】
本発明の実施形態は、添付図面を参照して以下により詳細に記述される。図１は、無線通信端末１００の分解斜視図である。図示されるように、無線通信端末１００は、前面１１０ｆ及び背面１１０ｂを含み、これらは結合して無線通信端末１００の携帯型ハウジングを規定する。無線端末１００は、電子回路１２０、フラットパネル・スピーカー１３０及び内部アンテナ１４０を含み、これらは、ハウジング内に配置される。内部アンテナ１４０は典型的には平面アンテナ１４０であって、ＰＩＦＡ、単一接点パッチアンテナ(single-contact patch antenna)又はモノポール・アンテナとして構成される。以下の幾つかの実施形態では平面逆Ｆアンテナ（ＰＩＦＡ）について記載するが、ここでのアンテナは技術用語としての厳密な「平面性」を有していなくてもよいが、平面逆Ｆアンテナと呼ぶこととする。
【００２０】
更に、無線通信端末１００の電子回路１２０は、信号伝送路(signal feed、以下同じ)と接地面とを有するプリント回路基板（ＰＣＢ）を備え、平面アンテナ１４０はＰＣＢの信号伝送路と接地面と動作可能に結合される。「接地面」との語を本出願において利用するが、この「接地面」との語は、平面形態を有するものを意味する概念に限定されることはない。例えば、「接地面」はストリップ形状や他の形状であっても良いし、合理的な大きさを有することができる。また、シールドカンや他の金属製オブジェクトのような非平面構造を含んでも良い。
【００２１】
図１に示すように、ハウジングの前面１１０ｆは、イヤーピース１１５とキーパッド１１７とを含む。電子回路１２０はハウジングの前面１１０ｆと背面１１０ｂとの間に配置される。フラットパネル・スピーカー１３０及び平面アンテナ１４０は、両方が、電子回路１２０ｂとハウジングの背面１１０ｂとの間に位置するようにハウジング内で保持される。フラットパネル・スピーカー１３０及び平面アンテナ１４０は、図示するように、独立の基板上に配置されていてもよく、或いは、後段で更に記述するように、例えば共通の基板を利用して一体的化されていても良い。適所において、イヤーピース１１５は、音響信号／音をスピーカーからユーザーに対して出力する。
【００２２】
図２Ａから図２Ｃは、従来的なフラットパネル・スピーカー１３０の平面図、底面図及び側面図を示す。図示されるように、フラットパネル・スピーカー１３０は実質的に平面的な構成要素であって、導電性パターン１３０ｐ、電子回路１２０と通信するためのリード１３５、１３７、入力信号に対する音響応答を与える薄型ダイアフラム・パネル要素１３９を備える。ダイアフラム要素１３９は、分割されたダイアフラムパネルであってもよいし、或いは、圧電セラミックのような圧電式電気材料であってもよい。なお、本明細書では「リード」及び「トレース」の語は、電気的な経路を表現する語として同義的に用いる。
【００２３】
個人用電子装置での使用のために構成された典型的なフラットパネル・スピーカーは、パナソニックから供給され、ミネソタ州シーフリバーフォールズのＤｉｇｉＫｅｙにより流通されている「カードタイプ・スピーカー」と呼ばれるものである。この製品番号は、ＷＭ Ｒ０３Ｂとなっている。パナソニックのカードタイプ・スピーカーは、極めて薄く、軽い圧電セラミックの分割ダイアフラムを有する点に特徴がある。低周波音用の１つの大型スピーカーと、高周波音用の４つの小型スピーカーを結合させた、分割ダイアフラムによる２ウェイ機構は、広周波数帯域における音声再生を可能とするものである。更に、湿気、塵、腐食から保護するために、振動膜に高分子コーティングによるカバーを施すことができる。
【００２４】
図３Ａから図３Ｄは、電子回路１２０及び平面アンテナ１４０に対するフラットパネル・スピーカー１３０の典型的な配置例を示す。図示されるように、フラットパネル・スピーカー１３０と平面アンテナ１４０とは、互いに隣接するようにして電子回路１２０の裏面１２０ｂ上に配置される。この位置決めにより、少なくとも一つの音響開口(acoustic aperture)をＰＣＢ又は電子回路内に形成して、フラットパネル・スピーカー１３０から電子回路１２０の前面１２０ｆへ伸び前方音響経路(forward acoustic passageway、以下同じ)３０５を規定することができる。このようにして、動作時の音響的干渉を減少させるために音響出力をイヤーピース（図１の１１５）へガイドするには、少なくとも、電子回路１２０を通って伸びるような一つの音響開口１２５を形成することができる。音響出力の方向は、図３Ａから図３Ｄにおいて、点線矢印により示されている。この場合、平面アンテナ１４０は、図３Ｃに示されるようにフラットパネル・スピーカー１３０と電子回路１２０との間に配置され、平面アンテナ１４０を通過して伸びる少なくとも一つの音響開口１４５が更に形成される。前方音響経路３０５の方向は、フラットパネル・スピーカー１３０から電子回路１２０を通過して伸びる点線矢印により示される。無線通信端末はまた、不図示の封入された音響チャネル（enclosed acoustic chanel）を含むことができ、これは信号の明瞭性を改善するために音響出力をガイドするのに利用されても良い。
【００２５】
図３Ａに示されるように、フラットパネル・スピーカー１３０はアンテナ１４０とは独立した構成要素であって、平面アンテナ１４０と電子回路１２０との間で平面アンテナ１４０に隣接するように配置される。図３Ｂでは、図８及び図９を参照して更に説明するように、フラットパネル・スピーカー１３０が平面アンテナ１４０と一体化され、一体化フラットパネル・スピーカー／平面アンテナ８００が生成されている。
【００２６】
図３Ｃ及び図３Ｄでは、フラットパネル・スピーカー１３０を、横方向、或いは、横断方向のギャップスペース１３１により、平面アンテナ１４０に対してオフセット可能な例を示している。平面アンテナ１４０は、図３Ｃに示されるようにフラットパネル・スピーカー１３０と電子回路１２０との間に配置されてもよい。また、図３Ｄは、フラットパネル・スピーカー１３０が、平面アンテナ１４０と電子回路１２０との間に配置され、平面アンテナ１４０に対して下又は上（不図示）において長さ方向にオフセットされてもよい。更に、図示してはいないが、平面アンテナ１４０をフラットパネル・スピーカー１３０により近づけて、長さ方向にオフセットを設けて配置することもできる。ここで「隣接した（proximate）」との語は、フラットパネル・スピーカー１３０と平面アンテナ１４０とが、フラットパネル・スピーカー１３０の一部が平面アンテナ１４０と重なり合う、或いはその逆となるように、ハウジング内で電子回路１２０の共通の側で空間的に位置あわせされていることを意味する。
【００２７】
フラットパネル・スピーカー１３０を平面アンテナ１４０に対し、位置決めし、構成し、或いは、電気的接続することにより、フラットパネル・スピーカー１３０を、所定の周波数範囲における平面アンテナ１４０の寄生素子として機能させるように構成できる。図４Ａから図４Ｃは、本発明の様々な実施形態に対応する平面アンテナ１４０の典型的な周波数応答の例を示している。このグラフは、電圧定在波比（ＶＳＷＲ）を表している。ＶＳＷＲは、無線通信端末のような通信装置の、伝送路或いは送信線路に対するアンテナ供給点のインピーダンス整合に関連する。無線周波数エネルギーを最小損失で放射するため、或いは、受信したＲＦエネルギーを無線通信端末受信器に最小損失で転送するためには、無線通信端末アンテナのインピーダンスは、伝送路又は供給点のインピーダンスと月並みに整合しなければならない。従来の無線通信端末では、内部のプリント回路基板上に配置された信号処理回路と動作可能に関連づけられる送受信器と電気的に接続されるアンテナが典型的には採用される。アンテナと送受信器との間の電力伝達(power transfer)を増加させるために、送受信器及びアンテナが、それぞれのインピーダンスが実質的に整合するように、即ち、好ましくないアンテナインピーダンス素子を補償して、５０オーム（Ω）（或いは、好ましい）のインピーダンス値を供給点において与えるように電気的に調整されるように、相互接続されても良い。
【００２８】
図４Ａから図４Ｃでは、点線４１０は、フラットパネル・スピーカー１３０とは独立に動作する平面アンテナ１４０の周波数応答のシミュレーション結果を示しており、このとき平面アンテナ１４０はフラットパネル・スピーカー１３０からの影響を実質的に受けていない。実線４２０ａから４２０ｃは、フラットパネル・スピーカー１３０が寄生要素として構成された場合の、該フラットパネル・スピーカー１３０から影響を受けた平面アンテナ１４０の周波数応答の変化を示している。図４Ａに示されるように、平面アンテナ１４０により低い周波数範囲で周波数応答４２０ａを与えるように、フラットパネル・スピーカー１３０を平面アンテナ１４０（図１）に対して構成、或いは位置決めすることができる。図４Ｂは、フラットパネル・スピーカー１３０を、周波数応答４２０ｂの帯域幅を拡大させるように構成することができる。その一方、図４Ｃに示すように、フラットパネル・スピーカー１３０をマルチバンド周波数応答４２０ｃを与えるように構成することができる。
【００２９】
図５及び図６は、本発明の実施形態に対応する、電子回路１２０（この電子回路１２０は、点線の枠で示される）の典型的な構成要素と、該構成要素と平面アンテナ１４０及びフラットパネル・スピーカー１３０の少なくともいずれかとの接続例を示す。図５に示されるように、電子回路１２０は平面アンテナ１４０との電気的通信においてアンテナ駆動回路１２２を、フラットパネル・スピーカー１３０との電気的通信において音声ドライバ回路１２７を含むことができる。音声ドライバ回路１２７をフラットパネル・スピーカー１３０と結合する際の典型的な信号補償技術は、図６及び図７Ａから図７Ｃを参照して、後述する。
【００３０】
図６に示されるように、電子回路１２０は更に信号補償回路１２８を含むことができる。動作時において、信号補償回路１２８はアンテナの送信モード、即ち、伝送路からエネルギーを受け、そのエネルギーを空間に放射する場合を検出する。送信が検出された間、信号補償回路１２８は音声ドライバ回路１２７からフラットパネル・スピーカー１３０への信号を補償し、フラットパネル・スピーカー１３０との通信におけるノイズを抑制する。信号補償回路１２８は、当業者には良く知られたハードウェア構成要素及びソフトウェア構成要素の少なくともいずれかを含む、好適な信号処理回路であればいずれであってもよい。
【００３１】
図７Ａから図７Ｃは、フラットパネル・スピーカー１３０とバランス伝送路により結合される電子回路１２０の音声ドライバ回路１２７の例を示す。ここで、「バランス伝送路」との語は、当業者には良く知られているように、信号電圧とグランド電圧用のリードではなく、差分信号を正電圧、負電圧を有するリードを介して送信するものをいい、無線通信端末の内部で生成されるノイズ、或いは、外来ノイズの影響を減少させるために用いられる。
【００３２】
図７Ａに示されるように、フラットパネル・スピーカー１３０のリード１３５、１３７は、音声駆動回路１２７と直接に接続されても良い。また、図７Ｂ及び図７Ｃに示されるように、ＲＦ分離回路１３５Ｒ、１３７Ｒは、リード１３５、１３７上にそれぞれ配されるインダクタ７１０、７１５、またはリード１３５、１３７上にそれぞれ配されるタンク回路７２０、７２５を備え、音声駆動回路１２７とフラットパネル・スピーカー１３０とを結合するために用いられても良い。なお、当業者には公知なように、他のＲＦ分離回路の構成を用いても良い。
【００３３】
図８Ａに示されるように、発明の所定の実施形態にはフラットパネル・スピーカー１３０と一体化、或いは統合された平面アンテナ１４０（ここでは、統合装置８００という）が含まれる。「一体化された」或いは「統合された」との語は、フラットパネル・スピーカー１３０と平面アンテナ１４０とが、少なくとも平面アンテナ１４０の一部がエッチング処理、プリント処理或いは、他の形成処理により、フラットパネル・スピーカー１３０を形成する基板に付属するか、或いは、該基板により支持されるように、結合されることを意味する。基板８００ｓは、単一のレイヤー又は複数のレイヤーを含んでいても良い。
【００３４】
図８Ａは、平面アンテナ１４０の導電性素子１４０ｅが、フラットパネル・スピーカー１３０の導電性パターン１３０ｐと同様に、フラットパネル・スピーカー１３０本体１３０ｂの第１の主面上に形成される様子を示している。図８はまた、統合フラットパネル・スピーカー／平面アンテナ要素８００上の、アンテナ・リード８０１、８０２（即ち、グランド及び信号経路）及びフラットパネル・スピーカー・リード１３５、１３７を示す。
【００３５】
図８Ｂは、図８Ａに示す典型的な統合フラットパネル・スピーカー／平面アンテナ要素８００の断面図である。図に示されるように、フラットパネル・スピーカーの導電性パターン１３０ｐ及びダイアフラム要素１３９は、単一のレイヤー基板８００ｓの第１及び第２の主面に形成されている。アンテナ導電要素１４０ｅは、同一基板８００ｓの第１の主面に形成されている。
【００３６】
図９Ａから図９Ｅは、単一（図８及び図９Ａ）又は複数（図９Ｂから図９Ｅ）の材料層で形成される基板８００ｓを示す。典型的には、レイヤー９１０、９２０及び９３０の少なくともいずれかは、平面アンテナ１４０及びフラットパネル・スピーカー１３０を規定する導電性部分を含む非導電性材料からなる。レイヤー９１０、９２０及び９３０の少なくともいずれかは薄膜又は他の基板レイヤーであって、典型的には５ｍｍ厚よりも薄く、より好適には１ｍｍよりも薄く、更に好適には０．２〜０．５ｍｍ厚であってもよい。図９Ａは、ダイアフラム要素１３９の振動を可能とするためのカットアウト或いはスペース１３０ｃを含む、単一のレイヤー９１０としての基板８００ｓを示す。なお、当該基板が柔軟な材料でできている実施形態では、カットアウト１３０ｃは不要となるかも知れない。図に示されるように、アンテナ導電性要素１４０ｅは、材料層９１０の第１の主要面上に形成され、スピーカー導電性パターン１３０ｐは、第２の主面上に形成されても良い。
【００３７】
図９Ｂ及び図９Ｃは、レイヤー９１０及び９２０の２層からなる基板８００ｓを示し、そこでは、アンテナ導電性要素１４０ｅが、第１レイヤー９１０の第１の主面上に形成されている。図９Ｂは、第２レイヤー９２０の第１の主面上に形成されたスピーカー導電性パターン１３０ｐを示し、図９Ｃは、第２レイヤー９２０の第２の主面上に形成されたスピーカー導電性パターン１３０ｐを示している。図９Ｂと図９Ｃはまた、カットアウト１３０ｃにより、ダイアフラム要素１３９の振動が可能となる様子を示している。図９Ｂに示されるように、カットアウト１３０ｃは、ダイアフラム要素１３９の上下に伸び、両方向における動きを許容する構成となっている。図９Ｂは更に、第２レイヤー９２０を通って、第２レイヤー９２０の第２の主面にまで伸び、音響信号の伝搬を可能とする音響開口１３０ａを示している。
【００３８】
図９Ｄ及び図９Ｅは、レイヤー９１０、９２０及び９３０の３層からなる基板８００ｓを示し、ここではアンテナ導電性要素１４０ｅが第１レイヤー９１０の第１の主面に形成されている。図９Ｄでは、スピーカー導電性パターン１３０ｐが第３レイヤー９３０の第１の主面上に形成され、図９Ｅでは、スピーカー導電性パターン１３０ｐが第３レイヤー９３０の第２の主面上に形成されている。図９Ｄ及び図９Ｅはまた、ダイアフラム要素１３９の振動を可能とするカットアウトと１３０ｃを示しており、図９Ｄでは、ダイアフラム要素１３９の上下にカットアウト１３０ｃが伸びている。図９Ｄは更に、第３レイヤー９３０を通って、第３レイヤー９３０の第２の主面にまで伸び、音響信号の伝搬を可能とする音響開口１３０ａを示している。
【００３９】
以上、本発明の実施形態に対応するアンテナを無線通信端末に関して記載したが、本発明の実施形態はかかる構成に限定されるものではないことは理解されよう。例えば、本発明の実施形態に対応するアンテナは、無線通信信号の送信或いは受信のみを行う無線通信端末内においても利用可能である。例えば、従来のＡＭ／ＦＭラジオやアンテナを利用するあらゆる受信機は、通信信号を単に受信するだけである。また、遠隔データ入力装置は、通信信号を単に送信するだけである。
【００４０】
図面及び明細書において本発明の実施形態を記載したが、これらにおいて採用された特定の用語は、一般的、かつ記述的意味においてのみ利用されたものであって、発明の内容を限定する目的を有するものではない。本発明の範囲は、特許請求の範囲において説明されるものである。よって、上記説明は本発明の例示であって、本発明を限定するものとして解釈すべきではない。本発明の幾つかの典型的な実施形態について記述しているが、本発明の新規な技術や利点から実質的に逸脱することなく、係る実施形態を様々に修正可能な点は、当業者であれば直ちに理解するであろう。従って、特許請求の範囲に記載される本発明の範囲内に、そのような修正が包含されることは当然に意図されたものである。特許請求の範囲において、ミーンズ・プラス・ファンクション的な表現が使われる場合、説明に係る機能を実現するために本明細書で記述された構造、及び、その構造的な均等物だけでなく、均等な構造物をもカバーすることを意図したものである。従って、上記の説明は本発明の例示であって、記載される特定の実施形態に本発明が限定されるものとして解釈されるべきではなく、記載された実施形態に対する修正は、他の実施形態に対するものも含めて、特許請求の範囲の記載に基づく発明の範囲内に含まれることが意図されていることが理解されよう。本発明は、特許請求の範囲の各請求項において定義され、該請求項の等価物もそこに含まれるものである。
【図面の簡単な説明】
【００４１】
【図１】本発明の実施形態に対応する無線通信端末装置の分解斜視図である。
【図２Ａ】本発明の実施形態に対応するフラットパネル・スピーカーの平面図である。
【図２Ｂ】本発明の実施形態に対応するフラットパネル・スピーカーの底面図である。
【図２Ｃ】本発明の実施形態に対応するフラットパネル・スピーカーの側面図である。
【図３Ａ】、
【図３Ｂ】、
【図３Ｃ】、
【図３Ｄ】本発明の実施形態に対応する、典型的な平面アンテナとフラットパネル・スピーカーのアセンブリの側面図である。
【図４Ａ】、
【図４Ｂ】、
【図４Ｃ】本発明の実施形態に対応する平面アンテナの典型的な周波数応答を示す、電圧定在波比（ＶＳＷＲ）のシミュレーショングラフである。
【図５】、
【図６】本発明の実施形態に対応する、電子回路の典型的な構成要素と、構成要素と平面アンテナ及びフラットパネルスピーカーの少なくともいずれかとの接続とを例示するブロック図である。
【図７Ａ】、
【図７Ｂ】、
【図７Ｃ】本発明の実施形態に対応する、音声駆動回路とフラットパネルスピーカーとの間の典型的な結合を例示するブロック図である。
【図８Ａ】平面アンテナと一体化される典型的なフラットパネル・スピーカーの平面図である。
【図８Ｂ】図８Ａに示される平面アンテナと一体化される典型的なフラットパネル・スピーカーの断面側面図である。
【図９Ａ】、
【図９Ｂ】、
【図９Ｃ】、
【図９Ｄ】、
【図９Ｅ】典型的な、フラットパネル・スピーカーと平面アンテナとが一体化された基板本体を示す断面側面図である。
【図１】
2007501545.tif 000003
【図２Ａ】
2007501545.tif 000004
【図２Ｂ】
2007501545.tif 000005
【図２Ｃ】
2007501545.tif 000006
【図３Ａ】
2007501545.tif 000007
【図３Ｂ】
2007501545.tif 000008
【図３Ｃ】
2007501545.tif 000009
【図３Ｄ】
2007501545.tif 000010
【図４Ａ】
2007501545.tif 000011
【図４Ｂ】
2007501545.tif 000012
【図４Ｃ】
2007501545.tif 000013
【図５】
2007501545.tif 000014
【図６】
2007501545.tif 000015
【図７Ａ】
2007501545.tif 000016
【図７Ｂ】
2007501545.tif 000017
【図７Ｃ】
2007501545.tif 000018
【図８Ａ】
2007501545.tif 000019
【図８Ｂ】
2007501545.tif 000020
【図９Ａ】
2007501545.tif 000021
【図９Ｂ】
2007501545.tif 000022
【図９Ｃ】
2007501545.tif 000023
【図９Ｄ】
2007501545.tif 000024
【図９Ｅ】
2007501545.tif 000025
【手続補正書】
【提出日】平成17年2月17日(2005.2.17)
【手続補正１】
【補正対象書類名】特許請求の範囲
【補正対象項目名】全文
【補正方法】変更
【補正の内容】
【特許請求の範囲】
【請求項１】
無線通信端末であって、
前面にイヤーピースを含むハウジングと、
前記ハウジング内に位置する電子回路と、
前記ハウジング内で前記電子回路の裏面に隣接して位置するフラットパネル・スピーカーと、
前記ハウジング内で、前記電子回路の裏面に前記フラットパネル・スピーカーと隣接して位置する内部アンテナと
を備え、
前記電子回路は、前記ハウジングの前記前面と、前記フラットパネル・スピーカー及び前記内部アンテナとの間に位置することを特徴とする無線通信端末。
【請求項２】
前記フラットパネル・スピーカーは、前記内部アンテナと一体化されていることを特徴とする請求項１に記載の無線通信端末。
【請求項３】
前記フラットパネル・スピーカーと前記内部アンテナとは、共通の基板の第１の主面に位置する導電性部材をそれぞれ備えることを特徴とする請求項２に記載の無線通信端末。
【請求項４】
前記内部アンテナは、平面アンテナであることを特徴とする請求項１に記載の無線通信端末。
【請求項５】
前記ハウジングは、イヤーピースとキーボードとを該ハウジングの前面に含むことを特徴とする請求項１に記載の無線通信端末。
【請求項６】
前記電子回路はプリント回路基板を備え、
前記無線通信端末は更に、前記フラットパネル・スピーカーから前記イヤーピースへ伸びる前方音響経路を備え、該前方音響経路は、前記フラットパネル・スピーカーに隣接する前記プリント回路基板を通過して伸びる少なくとも一つの音響開口を備えることを特徴とする請求項５に記載の無線通信端末。
【請求項７】
前記内部アンテナは、前記プリント回路基板と前記フラットパネル・スピーカーとの間に位置し、前記前方音響経路は更に、前記内部アンテナを通過して伸びる少なくとも一つの音響開口を備えることを特徴とする請求項６に記載の無線通信端末。
【請求項８】
前記電子回路は、信号伝送路と接地面とを有するプリント回路基板を備え、前記内部アンテナは、前記信号伝送路と前記接地面と動作可能に結合することを特徴とする請求項１に記載の無線通信端末。
【請求項９】
前記電子回路は、前記フラットパネル・スピーカーとバランス伝送路を介して結合される音声駆動回路を含むことを特徴とする請求項１に記載の無線通信端末。
【請求項１０】
前記バランス伝送路は複数のリードを備え、前記電子回路は更に、前記バランス伝送路の各リード上にＲＦ分離回路を備えることを特徴とする請求項９に記載の無線通信端末。
【請求項１１】
前記ＲＦ分離回路は、タンク回路を備えることを特徴とする請求項１０に記載の無線通信端末。
【請求項１２】
前記ＲＦ分離回路は、インダクタを備えることを特徴とする請求項１０に記載の無線通信端末。
【請求項１３】
前記フラットパネル・スピーカーは、前記内部アンテナの寄生要素として作用するように構成されることを特徴とする請求項１に記載の無線通信端末。
【請求項１４】
前記フラットパネル・スピーカーは、前記内部アンテナに低周波数領域における周波数応答を与える寄生要素として作用するように構成されることを特徴とする請求項１３に記載の無線通信端末。
【請求項１５】
前記フラットパネル・スピーカーは、前記内部アンテナに拡大された帯域幅における周波数応答を与える寄生要素として作用するように構成されることを特徴とする請求項１３に記載の無線通信端末。
【請求項１６】
前記フラットパネル・スピーカーは、前記内部アンテナにマルチバンド周波数応答を与える寄生要素として作用するように構成されることを特徴とする請求項１３に記載の無線通信端末。
【請求項１７】
前記内部アンテナは、平面逆Ｆアンテナ（ＰＩＦＡ）を含むことを特徴とする請求項１に記載の無線通信端末。
【請求項１８】
前記内部アンテナは、単一接点パッチ・アンテナを含むことを特徴とする請求項１に記載の無線通信端末。
【請求項１９】
前記内部アンテナは、モノポール・アンテナを含むことを特徴とする請求項１に記載の無線通信端末。
【請求項２０】
前記電子回路は、
複数のリードを備えるバランス伝送路を介して前記フラットパネル・スピーカーと結合される音声駆動回路と、
前記内部アンテナと通信するアンテナ駆動回路と、
前記音声駆動回路及び前記アンテナ駆動回路と通信する信号補償回路と
を備え、
前記内部アンテナが送信モードにある場合に、前記信号補償回路は前記音声駆動回路から前記フラットパネル・スピーカーへの信号を補償することを特徴とする請求項２に記載の無線通信端末。
【国際調査報告】
2007501545.tif 000026
2007501545.tif 000027
2007501545.tif 000028